(57)【要約】  左右のファスナーテープ間の隙間からファスナーエレメント列の色を積極的に見せて、スライドファスナーの色彩的なデザイン性を高めることができるスライドファスナーを提供する。  スライドファスナー１０は、一対のファスナーテープ２０と、一対のファスナーテープ２０の対向するテープ側縁部２０ａに縫い糸３３によりそれぞれ縫い付けられる一対のファスナーエレメント列３０と、一対のファスナーエレメント列３０を噛合・分離させるスライダー４０と、を備え、一対のファスナーテープ２０及び一対のファスナーエレメント列３０が、互いに異なる色に着色され、スライドファスナー１０は、ファスナーエレメント列３０が裏側となるように使用され、一対のファスナーテープ２０間の隙間Ｓの幅寸法Ａが、一対のファスナーエレメント列３０の噛合状態の幅寸法Ｂに対して１０〜２５％に設定され、スライドファスナー１０の表側から隙間Ｓを介してファスナーエレメント列３０の色を視認可能である。
2013042228.tif 000002
【特許請求の範囲】
【請求項１】
一対のファスナーテープ（２０）と、
前記一対のファスナーテープの対向するテープ側縁部（２０ａ）に縫い糸（３３）によりそれぞれ縫い付けられ、複数のファスナーエレメント（３１）を有する一対のファスナーエレメント列（３０）と、
前記一対のファスナーエレメント列を噛合・分離させるスライダー（４０）と、を備えるスライドファスナーであって、
前記一対のファスナーテープ及び前記一対のファスナーエレメント列は、互いに異なる色に着色され、
前記スライドファスナーは、前記ファスナーエレメント列が裏側となるように使用され、
前記一対のファスナーテープ間の隙間（Ｓ）の幅寸法Ａが、前記一対のファスナーエレメント列の噛合状態の幅寸法Ｂに対して１０〜２５％に設定され、
前記スライドファスナーの表側から前記隙間を介して前記ファスナーエレメント列の色を視認可能であることを特徴とするスライドファスナー。
【請求項２】
前記テープ側縁部（２０ａ）のテープ端縁（２０ｂ）と前記縫い糸（３３）の前記テープ端縁側の端縁（３３ａ）との間の幅寸法Ｃが０．１〜０．８ｍｍに設定されることを特徴とする請求項１に記載のスライドファスナー。
【請求項３】
前記一対のファスナーエレメント列（３０）が蛍光色に着色されることを特徴とする請求項１又は２に記載のスライドファスナー。
【請求項４】
一対のファスナーテープ（２０）と、
前記一対のファスナーテープの対向するテープ側縁部（２０ａ）に縫い糸（３３）によりそれぞれ縫い付けられ、複数のファスナーエレメント（３１）を有する一対のファスナーエレメント列（３０）と、
前記一対のファスナーエレメント列を噛合・分離させるスライダー（４０）と、を備えるスライドファスナーの製造方法であって、
前記一対のファスナーテープを縫付装置（５０）に供給する工程と、
噛合状態の前記一対のファスナーエレメント列を前記縫付装置に供給する工程と、
前記縫付装置において、前記一対のファスナーテープ間の隙間（Ｓ）を、所定の幅寸法Ａに設定する工程と、
前記縫付装置において、前記一対のファスナーテープの前記テープ側縁部に、前記一対のファスナーエレメント列をそれぞれ縫い付ける工程と、を備えることを特徴とするスライドファスナーの製造方法。
【請求項５】
前記一対のファスナーテープ（２０）の前記テープ側縁部（２０ａ）間に、前記幅寸法Ａを設定するガイド部（５３ｃ）が配置され、
前記一対のファスナーテープが前記ガイド部に沿って移送されることを特徴とする請求項４に記載のスライドファスナーの製造方法。
【発明の詳細な説明】
【技術分野】
【０００１】
本発明は、スライドファスナー及びスライドファスナーの製造方法に関する。
【背景技術】
【０００２】
従来のスライドファスナーとして、ファスナーエレメント列及び縫い糸などを顔料で原料着色し、その着色したファスナーエレメント列を無着色のファスナーテープに着色した縫い糸で取り付けて、さらに、ファスナーテープをファスナーエレメント列と異なる色に着色するものが知られている（例えば、特許文献１参照）。
【先行技術文献】
【特許文献】
【０００３】
【特許文献１】日本国特開昭６４−００８９０５号公報
【発明の概要】
【発明が解決しようとする課題】
【０００４】
ところで、上記特許文献１に記載のスライドファスナーでは、ファスナーテープの色とファスナーエレメント列の色に差を持たせ、コントラストを強調して、色彩的なデザイン性を高めることができるものの、スライドファスナーを、ファスナーエレメント列が裏側となるように使用して（以下「裏使い」と言う）、ファスナーエレメント列の色を左右のファスナーテープ間の隙間から見せることについては考慮されていなかった。【０００５】
そして、通常、上記したスライドファスナーの裏使いは、ファスナーエレメント列を見え難くするために行われる手法であるため、左右のファスナーテープ間の隙間からファスナーエレメント列があまり見えない方が好ましく、その隙間は必要最低限しか設けられない。このため、上記特許文献１のように、スライドファスナーの色彩的なデザイン性を高めたとしても、左右のファスナーテープ間の隙間からファスナーエレメント列の色が十分に見えず、そのデザイン性を発揮することができなかった。【０００６】
本発明は、前述した事情に鑑みてなされたものであり、その目的は、左右のファスナーテープ間の隙間からファスナーエレメント列の色を積極的に見せて、スライドファスナーの色彩的なデザイン性を高めることができるスライドファスナー及びスライドファスナーの製造方法を提供することにある。
【課題を解決するための手段】
【０００７】
本発明の上記目的は、下記の構成により達成される。
（１）一対のファスナーテープと、一対のファスナーテープの対向するテープ側縁部に縫い糸によりそれぞれ縫い付けられ、複数のファスナーエレメントを有する一対のファスナーエレメント列と、一対のファスナーエレメント列を噛合・分離させるスライダーと、を備えるスライドファスナーであって、一対のファスナーテープ及び一対のファスナーエレメント列は、互いに異なる色に着色され、スライドファスナーは、ファスナーエレメント列が裏側となるように使用され、一対のファスナーテープ間の隙間の幅寸法Ａが、一対のファスナーエレメント列の噛合状態の幅寸法Ｂに対して１０〜２５％に設定され、スライドファスナーの表側から隙間を介してファスナーエレメント列の色を視認可能であることを特徴とするスライドファスナー。
（２）テープ側縁部のテープ端縁と縫い糸のテープ端縁側の端縁との間の幅寸法Ｃが０．１〜０．８ｍｍに設定されることを特徴とする（１）に記載のスライドファスナー。
（３）一対のファスナーエレメント列が蛍光色に着色されることを特徴とする（１）又は（２）に記載のスライドファスナー。
（４）一対のファスナーテープと、一対のファスナーテープの対向するテープ側縁部に縫い糸によりそれぞれ縫い付けられ、複数のファスナーエレメントを有する一対のファスナーエレメント列と、一対のファスナーエレメント列を噛合・分離させるスライダーと、を備えるスライドファスナーの製造方法であって、一対のファスナーテープを縫付装置に供給する工程と、噛合状態の一対のファスナーエレメント列を縫付装置に供給する工程と、縫付装置において、一対のファスナーテープ間の隙間を、所定の幅寸法Ａに設定する工程と、縫付装置において、一対のファスナーテープのテープ側縁部に、一対のファスナーエレメント列をそれぞれ縫い付ける工程と、を備えることを特徴とするスライドファスナーの製造方法。
（５）一対のファスナーテープのテープ側縁部間に、幅寸法Ａを設定するガイド部が配置され、一対のファスナーテープがガイド部に沿って移送されることを特徴とする（４）に記載のスライドファスナーの製造方法。
【発明の効果】
【０００８】
本発明のスライドファスナーによれば、一対のファスナーテープ及び一対のファスナーエレメント列が、互いに異なる色に着色され、スライドファスナーは、ファスナーエレメント列が裏側となるように使用され、一対のファスナーテープ間の隙間の幅寸法Ａが、一対のファスナーエレメント列の噛合状態の幅寸法Ｂに対して１０〜２５％に設定され、スライドファスナーの表側から隙間を介してファスナーエレメント列の色を視認可能であるため、左右のファスナーテープ間の隙間からファスナーエレメント列の色を積極的に見せることができ、スライドファスナーの色彩的なデザイン性を高めることができる。
【図面の簡単な説明】
【０００９】
【図１】本発明に係るスライドファスナーの一実施形態を説明する表面図である。
【図２】図１に示すスライドファスナーの断面図である。
【図３】図２に示す左側のファスナーエレメントの周辺の拡大断面図である。
【図４】ファスナーエレメント列をファスナーテープに縫い付ける縫付装置の概略側面図である。
【図５】図４に示す縫付装置の要部拡大断面図である。
【発明を実施するための形態】
【００１０】
以下、本発明に係るスライドファスナーの一実施形態について、図面に基づいて詳細に説明する。なお、以後の説明において、ファスナーテープに関しては、表側とは図１の紙面に対して手前側、裏側とは図１の紙面に対して奥側、上側とは図１の紙面に対して上側、下側とは図１の紙面に対して下側、左側とは図１の紙面に対して左側、右側とは図１の紙面に対して右側とし、スライダーとファスナーエレメントに関しては、上側とは図１の紙面に対して手前側、下側とは図１の紙面に対して奥側、前側とは図１の紙面に対して上側、後側とは図１の紙面に対して下側、左側とは図１の紙面に対して左側、右側とは図１の紙面に対して右側とする。また、ファスナーテープ及びスライダーの左右方向は幅方向とも言う。また、ファスナーテープの上下方向は長さ方向とも言う。
【００１１】
本実施形態のスライドファスナー１０は、図１に示すように、織編製された左右一対のファスナーテープ２０と、左右一対のファスナーテープ２０の対向するテープ側縁部２０ａにそれぞれ設けられ、複数のファスナーエレメント３１を有する左右一対のファスナーエレメント列３０と、左右一対のファスナーエレメント列３０を噛合・分離させるスライダー４０と、左右一対のファスナーエレメント列３０の上端部にそれぞれ設けられる上止部１１と、左右一対のファスナーエレメント列３０の下端部にそれぞれ設けられる開き具１２と、を備える。そして、このスライドファスナー１０は、ファスナーエレメント列３０が裏側となるように、服やバッグなどの被着物に取り付けられる。
【００１２】
開き具１２は、右側のファスナーテープ２０のテープ側縁部２０ａの下端部に形成される箱棒１３及び箱体１４と、左側のファスナーテープ２０のテープ側縁部２０ａの下端部に形成され、箱体１４に挿入可能な蝶棒１５と、を備える。なお、開き具１２は、下止部であってもよい。
【００１３】
ファスナーエレメント列３０は、図２に示すように、合成樹脂製のモノフィラメントを一定方向に巻回すことにより形成されるコイル状のファスナーエレメント列であり、複数のファスナーエレメント３１を有している。そして、ファスナーエレメント列３０は、その内部に芯紐３２が挿通され、二重環縫いされる縫い糸３３によってファスナーテープ２０のテープ側縁部２０ａの裏面（下面）に縫い付けられる。また、モノフィラメントの合成樹脂材料としては、ポリエステル及びナイロンなどを挙げることができる。
【００１４】
ファスナーエレメント３１は、相手方のファスナーエレメント３１と噛合・分離する噛合頭部３１ａと、噛合頭部３１ａの上端部から幅方向外側に延びる上脚部３１ｂと、噛合頭部３１ａの下端部から幅方向外側に延びる下脚部３１ｃと、上脚部３１ｂの幅方向外端部と隣り合うファスナーエレメント３１の下脚部３１ｃの幅方向外端部とを連結する連結部３１ｄと、を備える。また、噛合頭部３１ａ及び上脚部３１ｂと下脚部３１ｃの一部は、ファスナーテープ２０のテープ端縁２０ｂを越えて、幅方向内側に配置されている。即ち、噛合頭部３１ａ及び上脚部３１ｂと下脚部３１ｃの一部は、ファスナーテープ２０の表裏方向において、ファスナーテープ２０によって覆われない位置に配置されている。
【００１５】
スライダー４０は、図１に示すように、胴体４１と、胴体４１の上面に設けられる引手取付部４２と、引手取付部４２に取り付けられる引手４３と、を備える。そして、スライダー４０を上止部１１側に移動することで、左右一対のファスナーエレメント列３０が噛合し、スライダー４０を開き具１２側に移動することで、左右一対のファスナーエレメント列３０が分離する。
【００１６】
そして、本実施形態では、左右一対のファスナーテープ２０及び左右一対のファスナーエレメント列３０は、互いに異なる色に着色されており、具体的には、コントラストを強調するため、ファスナーテープ２０（ファスナーエレメント列３０）が濃い色（例えば、赤色、青色、緑色、金色、銀色など）に着色される場合、ファスナーエレメント列３０（ファスナーテープ２０）は薄い色（例えば、白色、黄色、水色など）に着色される。
【００１７】
なお、ファスナーテープ２０とファスナーエレメント列３０は、別々の工程で着色される。即ち、一方のファスナーテープ２０は染色される。他方のファスナーエレメント列３０は、ファスナーエレメント列３０の内部に顔料を練り込むか、ファスナーエレメント列３０の周面をメッキする。
【００１８】
さらに、左右一対のファスナーエレメント列３０は、蛍光色に着色されていてもよい。この蛍光色は発光性塗料により着色され、この発光性塗料としては、蛍光塗料、燐光塗料、蓄光性塗料、自発光性塗料などが挙げられるが、例えば、紫色付近の短波長光線（例えば、紫外線ライト）の照射によって明るく発光するものなどが使用される。蛍光塗料に使用される、蛍光材料としては、有機系では、主にアントラセン誘導体が、無機系では、例えば、硫化亜鉛、硫化カドミウムが挙げられる。燐光塗料、蓄光性塗料に使用される、燐光・蓄光性材料としては、硫化亜鉛系、硫化銅系、硫化カルシウム系、硫化ビスマス系などが挙げられる。自発光塗料としては、トリチウム発光塗料が挙げられる。なお、発光性塗料は、常法に従い、上記発光材料をアクリル樹脂モノマなどのビヒクルに分散させて調製される。また、ファスナーエレメント列３０に蛍光顔料を練り込んでもよく、この蛍光顔料としては、亜鉛、カドミウム、バリウム、ストロンチウム、イットリウムなどの硫化物などが挙げられる。
【００１９】
また、本実施形態では、図２に示すように、左右一対のファスナーテープ２０間に隙間Ｓが形成されている。具体的には、左右のファスナーテープ２０のテープ側縁部２０ａが、ファスナーテープ２０の幅方向（左右方向）に対向するテープ端縁２０ｂを有する。各テープ端縁２０ｂ間に隙間Ｓが形成されている。この隙間Ｓの幅寸法Ａは、左右一対のファスナーエレメント列３０の噛合状態の幅寸法Ｂに対して１０〜２５％に設定されている。また、図３に示すように、テープ側縁部２０ａのテープ端縁２０ｂと縫い糸３３のテープ端縁２０ｂ側の端縁３３ａとの間の幅寸法Ｃが０．１〜０．８ｍｍに設定されている。従って、ファスナーエレメント列３０の縫い付け強度を確保しつつ広い隙間Ｓを得ることができ、スライドファスナー１０の表側から隙間Ｓを介してファスナーエレメント列３０の色を視認可能である。
【００２０】
また、上記幅寸法Ｃの範囲には、経糸２１が２本配置されている。なお、経糸２１は２本に限定されず、３本以下であればよい。また、図３中の符号２２は緯糸である。
【００２１】
以下に、左右一対のファスナーテープ２０間の隙間Ｓの幅寸法Ａと、左右一対のファスナーエレメント列３０の噛合状態の幅寸法Ｂの具体的な実施例について説明する。
第１実施例は、幅寸法Ａを０．７〜１．１ｍｍとして、幅寸法Ｂを６．４〜６．７ｍｍとする。この場合、幅寸法Ａは、幅寸法Ｂに対して、１０〜１８％の寸法である。好ましくは、幅寸法Ａを０．９５〜１．０５ｍｍとして、幅寸法Ｂを６．４５〜６．６５ｍｍとする。この場合、幅寸法Ａは、幅寸法Ｂに対して、１４〜１７％の寸法である。
また、第２実施例は、幅寸法Ａを０．４５〜０．５５ｍｍとして、幅寸法Ｂを４．１５〜４．３５ｍｍとする。この場合、幅寸法Ａは、幅寸法Ｂに対して、１０〜１３％の寸法である。
さらに、第３実施例は、幅寸法Ａを２．３５〜２．５５ｍｍとして、幅寸法Ｂを１０．５〜１１．０ｍｍとする。この場合、幅寸法Ａは、幅寸法Ｂに対して、２１〜２５％の寸法である。
【００２２】
次に、本発明に係るスライドファスナーの製造方法について説明する。
【００２３】
本実施形態のスライドファスナー１０の製造方法は、左右一対のファスナーテープ２０を縫付装置５０に供給する工程と、噛合状態の左右一対のファスナーエレメント列３０を縫付装置５０に供給する工程と、縫付装置５０において、左右一対のファスナーテープ２０間の隙間Ｓを、所定の幅寸法Ａに設定する工程と、縫付装置５０において、左右一対のファスナーテープ２０のテープ側縁部２０ａに、左右一対のファスナーエレメント列３０をそれぞれ縫い付ける工程と、を備える。
【００２４】
縫付装置５０は、図４及び図５に示すように、基台５１と、基台５１の上面に取り付けられ、供給された左右一対のファスナーエレメント列３０を案内するエレメント案内板５２と、エレメント案内板５２の上面に取り付けられ、供給された左右一対のファスナーテープ２０を案内するテープ案内板５３と、テープ案内板５３の上方に配置される左右２組で合計４本の縫い針５４と、エレメント案内板５２の下方に配置される左右一対のルーパー５５と、を備える。
【００２５】
エレメント案内板５２の上面には、噛合状態の左右一対のファスナーエレメント列３０を長さ方向に案内するエレメント案内溝５２ａが形成されている。また、エレメント案内溝５２ａには、エレメント案内板５２を上下方向に貫通し、縫い針５４をエレメント案内溝５２ａに向けて通過させる左右一対の針通過穴５２ｂが形成されている。
【００２６】
テープ案内板５３の下面には、左右一対のファスナーテープ２０を長さ方向に案内するテープ案内溝５３ａが形成されている。また、テープ案内溝５３ａには、テープ案内板５３を上下方向に貫通し、縫い針５４をテープ案内溝５３ａに向けて通過させる左右２組で合計４つの針通過穴５３ｂが形成されている。また、テープ案内溝５３ａの幅方向（左右方向）中央には、テープ案内板５３の下面から突出し、テープ案内溝５３ａと平行に延びるガイド部５３ｃが形成されている。ガイド部５３ｃは、テープ案内板５３の下面と垂直に交わる左面と右面を有する。そして、ガイド部５３ｃは、その左面と右面との間で、左右一対のファスナーテープ２０間の隙間Ｓの幅寸法Ａを設定する。従って、ガイド部５３ｃの幅寸法は、隙間Ｓの幅寸法Ａと同一である。
【００２７】
このように構成された縫付装置５０では、まず、左右一対のファスナーテープ２０がテープ案内板５３のテープ案内溝５３ａに供給されると共に、噛合状態の左右一対のファスナーエレメント列３０がエレメント案内板５２のエレメント案内溝５２ａに供給される。次いで、左右一対のファスナーテープ２０について、左側のファスナーテープ２０のテープ端縁２０ｂがガイド部５３ｃの左面に接し、右側のファスナーテープ２０のテープ端縁２０ｂがガイド部５３ｃの右面に接する。即ち、ガイド部５３ｃは、左右一対のファスナーテープ２０のテープ側縁部２０ａのテープ端縁２０ｂ間に配置される。そして、各ファスナーテープ２０のテープ端縁２０ｂがガイド部５３ｃに沿って移送されることにより、左右一対のファスナーテープ２０間の隙間Ｓが所定の幅寸法Ａに設定される。次いで、左右一対のファスナーテープ２０のテープ側縁部２０ａに、左右一対のファスナーエレメント列３０が、左右２組の縫い針５４及び左右一対のルーパー５５によりそれぞれ縫い付けられる。
【００２８】
以上説明したように、本実施形態のスライドファスナー１０によれば、左右一対のファスナーテープ２０及び左右一対のファスナーエレメント列３０が、互いに異なる色に着色され、スライドファスナー１０は、ファスナーエレメント列３０が裏側となるように使用され、左右一対のファスナーテープ２０間の隙間Ｓの幅寸法Ａが、左右一対のファスナーエレメント列３０の噛合状態の幅寸法Ｂに対して１０〜２５％に設定され、スライドファスナー１０の表側から隙間Ｓを介してファスナーエレメント列３０の色を視認可能であるため、左右のファスナーテープ２０間の隙間Ｓからファスナーエレメント列３０の色を積極的に見せることができ、スライドファスナー１０の色彩的なデザイン性を高めることができる。
【００２９】
なお、本発明は上記実施形態に例示したものに限定されるものではなく、本発明の要旨を逸脱しない範囲において適宜変更可能である。
【符号の説明】
【００３０】
１０    スライドファスナー
２０    ファスナーテープ
２０ａ  テープ側縁部
２０ｂ  テープ端縁
３０    ファスナーエレメント列
３１    ファスナーエレメント
３３    縫い糸
３３ａ  縫い糸の端縁
４０    スライダー
５０    縫付装置
５３ｃ  ガイド部
Ａ    隙間の幅寸法
Ｂ    左右一対のファスナーエレメント列の幅寸法
Ｃ    テープ端縁と縫い糸の端縁との間の幅寸法
Ｓ    隙間
【図１】
2013042228.tif 000003
【図２】
2013042228.tif 000004
【図３】
2013042228.tif 000005
【図４】
2013042228.tif 000006
【図５】
2013042228.tif 000007
【国際調査報告】
2013042228.tif 000008
2013042228.tif 000009
2013042228.tif 000010
2013042228.tif 000011